(57)【要約】【課題】  直管の蛍光灯の口金部分を含む大きさのパネル本体を用いた場合でも、蛍光灯の口金付近を暗く照明させることなく、パネル本体の全面にわたって均一に発光させること。また、額縁の上下の部分の幅を狭くして、見映えを損なわないようにして、意匠効果や広告効果を向上させること。【解決手段】  蛍光灯６の口金７の付近を覆う口金用反射板３１を配置する。ケース２の開口部１２を覆設するパネル本体４１の背面の略全面にわたって前記蛍光灯６の光を反射させる反射面４７を形成する。反射面４７には透光用の透光穴４６を上下左右の方向に列設すると共に、蛍光灯６の左右方向であって該蛍光灯６の付近から蛍光灯６から離れるに従って前記透光穴４６の直径を漸進的に大きく形成する。蛍光灯６の上下方向であって該蛍光灯６の口金７の付近から蛍光灯６から離れるに従って前記透光穴４６の直径を漸進的に大きく形成する。【選択図】        図２
2007041422.tif 000002
【特許請求の範囲】
【請求項１】
前面に開口部（１２）を有する箱状のケース（２）と、このケース（２）内に装着される直管状の蛍光灯（６）と、この蛍光灯（６）の背面側に配設されて該蛍光灯（６）から放射される光を反射させる反射板（２１）と、前記ケース（２）の開口部（１２）の開口面に配置される透光性のパネル本体（４１）とを備え、
中央部分に穿孔した挿通孔（３２）に挿通させた前記蛍光灯（６）の口金（７）の付近を一方の端部側で前面側から覆うと共に、該一方の端部から反射板（２１）側に傾斜していって他方の端部を該反射板（２１）の前面に位置させるように口金用反射板（３１）を配置し、
前記パネル本体（４１）の背面の略全面にわたって前記蛍光灯（６）の光を反射させる反射面（４７）を形成し、
前記反射面（４７）には透光用の透光穴（４６）を上下左右の方向に列設すると共に、前記蛍光灯（６）の左右方向であって該蛍光灯（６）から離れるに従って前記透光穴（４６）の直径を漸進的に大きく形成し、
前記蛍光灯（６）の口金（７）及びフィラメントの付近を含む部分から該蛍光灯（６）の軸方向と同方向へ外方に向かうに従って前記透光穴（４６）の直径を漸進的に大きく形成していることを特徴とする広告用照明装置。
【請求項２】
前記蛍光灯（６）の端部側に位置する最小径の透光穴（４６ａ）を含む左右方向のライン（Ｌ２）上に位置する各透光穴（４６）から上側方向または下側方向にいくにしたがい透光穴（４６）の直径をそれぞれ漸進的に大きくしていることを特徴とする請求項１に記載の広告用照明装置。
【請求項３】
前記口金用反射板（３１）の両側の端縁（３７）と、該口金用反射板（３１）より背面側に配置されている前記反射板（２１）との間に透光用の開口部（２４）を形成していることを特徴とする請求項１または請求項２に記載の広告用照明装置。
【請求項４】
前記蛍光灯（６）の口金（７）より外方に位置する箇所に補助反射部材（３５）を前記口金用反射板（３１）の一方の端部側に一体的に形成し、前記口金用反射板（３１）側に面している前記補助反射部材（３５）の部分を補助反射面（３６）としていることを特徴とする請求項１から請求項３のいずれかに記載の広告用照明装置。
【発明の詳細な説明】
【技術分野】
【０００１】
本発明は、建物の壁面などに設置されて、内部のランプ、特に蛍光灯を点灯させることで前面に広告用のシートを配設したパネルを内側から照明させるようにした広告用照明装置に関するものである。
【背景技術】
【０００２】
図１５は、建物の壁面などに設置されて、内部のランプ、特に蛍光灯を点灯させることで前面に広告用のシートを配設したパネルを内側から照明させるようにした広告用照明装置本体１の分解斜視図を示している。
【０００３】
この広告用照明装置本体１は図示するように、前面に開口部１２を設けた略箱状のケース２と、このケース２の背面側に配置されている反射板５と、この反射板５の前面側に配置される複数本の蛍光灯６と、前記ケース２の開口部１２の開口面に配置される透光性のパネル本体３と、このパネル本体３の前面に配置されて表面には写真、文字等のデザインが施された薄いシート状で透光性の広告用シート４と、この広告用シート４の前面に配置されるカバーとしての透明のアクリル板８と、前記ケース２の一方の端部側にヒンジ部９を介して開閉自在に取り付けられている額縁１０とで構成されている。
【０００４】
前記ケース２内の奥方には反射板５が配設されており、この反射板５の前面側に複数本、この例では３本の直管の蛍光灯６が配設されている。なお、この蛍光灯６の本数は２本の場合や、４本以上の場合があり、広告用照明装置本体１の大きさによって蛍光灯６の本数やワット数が異なる。
また、前記額縁１０を閉じることで、パネル本体３、広告用シート４及びアクリル板８を固定するようになっており、額縁１０を閉じた状態で該額縁１０の大きな開口部１１より広告用シート４が見えるようになっている。
【０００５】
また、ケース２に額縁１０を閉じた状態での広告用照明装置本体１の厚みは５ｃｍ前後であり、いわゆる薄型タイプの広告用照明装置本体１である。内部の蛍光灯６を点灯させることで、パネル本体３を介して広告用シート４を内部から照明し、広告用としての照明装置となっている。
【０００６】
図１６は広告用照明装置本体１に使用される蛍光灯６の端部を示しており、蛍光灯６は周知のように、口金７よりガラス管側にはフィラメント１３が設けられており、このフィラメント１３と接続されている一対のピン１４が口金７の外側の端面より突設されている。蛍光灯６が実際に一様な輝度で発色しているのはフィラメント１３よりガラス管側の部分であり、フィラメント１３の先端部分を除いた口金７の付近は暗くなっている。口金７の部分はもちろん発光はしていない。
【０００７】
この種の薄型の広告用照明装置本体１は、図１７に示すように、蛍光灯６とパネル本体３との間の間隙Ｌが７〜８ｍｍと非常に狭くなっており、蛍光灯６の口金７やフィラメント１３の発光している先端部分以外の口金７の付近での輝度と、それ以外の蛍光灯６の明るく発光している部分の輝度は、パネル本体３の前面から見ると明らかな違いとなって見る者に違和感を与えてしまう。
図１７に示す口金７とフィラメント１３の先端部分以外の寸法をＷとした場合に、この部分Ｗと、それ以外の部分は周知のように明るさが異なる。一般の照明器具のように蛍光灯６とパネル本体３の間隙Ｌの寸法が３０〜５０ｍｍ以上ある場合には、口金７付近の暗さがほとんど目立たないが、蛍光灯６とパネル本体３の間隙Ｌの寸法を上記のように７〜８ｍｍとした場合には、口金７付近の暗さが非常に目立ってしまう。
【０００８】
図１８はこの状態を示すものであり、この例では蛍光灯６全体より大きな開口部１１あるいは蛍光灯６と同じくらいの開口部１１を有する額縁１０を用いた場合であり、蛍光灯６の口金７付近である図中のＡ部分が他の部分と比べて暗くなる。広告用照明装置本体１を正面から見た場合、蛍光灯６の口金７の付近だけが暗くなり、見映えが悪くなり、パネル本体３の前面に配置した広告用シート４の意匠効果を損ねると共に、本来の広告効果を損ねてしまうことになる。
【０００９】
そこで、図１９に示すように、額縁１０の上下の上板部１０ａと下板部１０ｂの寸法を上下に長くして蛍光灯６の口金７の付近を隠すことで、額縁１０の開口部１１より露出しているパネル本体３の部分にわたっては均一に発光ないし発色させることができる。
しかしながら、広告用照明装置本体１を正面から見た場合、額縁１０の上下の上板部１０ａ及び下板部１０ｂの部分が大きくなり、そのため、見映えが際立って悪くなり、広告用の照明器具としての価値が大幅に減少する。また、見る者にとっても違和感を与え、スマートさに欠け、意匠的、広告的価値も無くなる。
【００１０】
さらに、実際の広告表示を行なう広告用シート４の上下の部分が額縁１０の上下の上板部１０ａと下板部１０ｂにて隠れてしまい、上下に記載してあるデザインやクライアントの会社名が隠れて、クライアントから苦情が出てくる。また、額縁１０の開口部１１とパネル本体３特に広告用シート４の大きさを同じとした場合、額縁１０の上下の上板部１０ａと下板部１０ｂの部分だけ本来の広告用のスペースが小さくなり、広告用シート４に施されるデザインも影響を受けることになる。そのため、見る者に与えるインパクトも小さくなり、広告作用も悪影響をうけてしまう。
【発明の開示】
【発明が解決しようとする課題】
【００１１】
本発明は上述の問題点に鑑みて提供したものであって、少なくとも以下の目的を有する広告用照明装置を提供するものである。
（１）直管の蛍光灯の口金部分を含む大きさのパネル本体を用いた場合でも、蛍光灯の口金付近を暗く照明させることなく、パネル本体の全面にわたって均一に発光させること。
（２）コーナー部分でも暗くさせることなく、パネル本体の全面にわたって均一に発光させるようにすること。
（３）額縁の上下の部分の幅を狭くして、見映えを損なわないようにして、意匠効果や広告効果を向上させること。
【課題を解決するための手段】
【００１２】
そこで、本発明の請求項１に記載の広告用照明装置では、前面に開口部１２を有する箱状のケース２と、このケース２内に装着される直管状の蛍光灯６と、この蛍光灯６の背面側に配設されて該蛍光灯６から放射される光を反射させる反射板２１と、前記ケース２の開口部１２の開口面に配置される透光性のパネル本体４１とを備え、
中央部分に穿孔した挿通孔３２に挿通させた前記蛍光灯６の口金７の付近を一方の端部側で前面側から覆うと共に、該一方の端部から反射板２１側に傾斜していって他方の端部を該反射板２１の前面に位置させるように口金用反射板３１を配置し、
前記パネル本体４１の背面の略全面にわたって前記蛍光灯６の光を反射させる反射面４７を形成し、
前記反射面４７には透光用の透光穴４６を上下左右の方向に列設すると共に、前記蛍光灯６の左右方向であって該蛍光灯６６から離れるに従って前記透光穴４６の直径を漸進的に大きく形成し、
前記蛍光灯６の口金７及びフィラメントの付近を含む部分から該蛍光灯６の軸方向と同方向へ外方に向かうに従って前記透光穴４６の直径を漸進的に大きく形成していることを特徴としている。
【００１３】
請求項２に記載の広告用照明装置では、前記蛍光灯６の端部側に位置する最小径の透光穴４６ａを含む左右方向のラインＬ２上に位置する各透光穴４６から上側方向または下側方向にいくにしたがい透光穴４６の直径をそれぞれ漸進的に大きくしていることを特徴とする請求項１に記載の広告用照明装置。
【００１４】
請求項３に記載の広告用照明装置では、前記口金用反射板３１の両側の端縁３７と、該口金用反射板３１より背面側に配置されている前記反射板２１との間に透光用の開口部２４を形成していることを特徴としている。
【００１５】
請求項４に記載の広告用照明装置では、前記蛍光灯６の口金７より外方に位置する箇所に補助反射部材３５を前記口金用反射板３１の一方の端部側に一体的に形成し、前記口金用反射板３１側に面している前記補助反射部材３５の部分を補助反射面３６としていることを特徴としている。
【発明の効果】
【００１６】
本発明の請求項１に記載の広告用照明装置によれば、口金用反射板３１とパネル本体４１の反射面４７による反射ないし乱反射にて、パネル本体４１の前面に一定の光量が放射されることになる。これにより、蛍光灯６のガラス管部分と口金７付近に対応したパネル本体４１の部分における輝度をほぼ同じにすることができ、そのため、直管の蛍光灯６の口金７部分を含む大きさのパネル本体４１を用いた場合でも、パネル本体４１の全面にわたって均一に光を発光ないし発色させることができ、口金７付近で輝度が暗くなるのを防止することができる。
また、蛍光灯６の口金７付近を暗くさせることなく、パネル本体４１の全面にわたって均一に光を照明できるので、パネル本体４１の前面に配置される額縁２６の上下の上板部２６ａ及び下板部２６ｂの幅を狭くでき、広告用照明装置本体１の見映えを良くすると共に、意匠効果、広告効果を一層向上させることができる。
【００１７】
請求項２に記載の広告用照明装置によれば、蛍光灯６の端部側に位置する最小径の透光穴４６ａを含む左右方向のラインＬ２上に位置する各透光穴４６から上側方向または下側方向にいくにしたがい透光穴４６の直径をそれぞれ漸進的に大きくしているので、蛍光灯６の口金７の付近から斜め上方、あるいは斜め下方におけるパネル本体４１の部分での透光穴４６からの光量を増加させることができて、パネル本体４１の輝度を一層均一にでき、パネル本体４１の全面にわたって明るさを均一にすることができる。
【００１８】
請求項３に記載の広告用照明装置によれば、口金用反射板３１の両側の端縁３７と、該口金用反射板３１より背面側に配置されている前記反射板２１との間に透光用の開口部２４を形成しているので、開口部２４から透光した蛍光灯６からの直接光や反射光によりパネル本体４１のコーナー部分Ｂでの光量を増加させることができ、これにより、パネル本体４１の他の部分とほぼ同じ輝度を得るようにして、パネル本体４１の全面にわたって均一に発光ないし発色させることができる。
【００１９】
請求項４に記載の広告用照明装置によれば、蛍光灯６の口金７より外方に位置する箇所に補助反射部材３５を前記口金用反射板３１の一方の端部側に一体的に形成し、前記口金用反射板３１側に面している前記補助反射部材３５の部分を補助反射面３６としているので、口金用反射板３１の補助反射部材３５の補助反射面３６が蛍光灯６からの直接光や、反射板２１、パネル本体４１の反射面４７からの反射光によりパネル本体４１の前面への放射の補助作用が行なわれ、蛍光灯６の口金７付近の輝度を他の部分と一層均一にさせることができる。
【発明を実施するための最良の形態】
【００２０】
以下、本発明の実施の形態を図面を参照して詳細に説明する。なお、広告用照明装置において、従来例と同一の機能を発揮する要素には同一の番号を付して説明する。
【００２１】
図１は、厚みを例えば５ｃｍ前後とした薄型の広告用照明装置本体１のパネル本体４１を除いたケース２側の斜視図を示し、ケース２内には、例えば直管状の蛍光灯６が３本配設されている。なお、蛍光灯６の本数は例示であり、２本以下や４本以上でもよく、また、ワット数も広告用照明装置本体１の大きさに応じて適宜なものが用いられる。また、図１ではケース２に対して開閉自在に設けられている従来と同様な額縁と、蛍光灯６の光を反射させる反射板は図示省略している。
【００２２】
図１において、ケース２の上下のフランジ２ａ、２ｂより内側（図１では下側及び上側）に突出する形でソケット１６がそれぞれ所定の間隔でもって配設されており、この上下のソケット１６間に蛍光灯６が装着されるようになっている。また、図５に示すように、ケース２の上下のフランジ２ａ、２ｂの内部には断面を略Ｚ字型とした支持板１７が配置されていて、この支持板１７の前面側を載置板１８としている。
この載置板１８の途中には図１に示すように、切欠部１９が切り欠き形成されており、この切欠部１９の奥方のケース２の背面側にソケット１６が固定されている（図５参照）。また、載置板１８の内側への突出寸法とソケット１６との寸法はほぼ同程度としており、この載置板１８の上にパネル本体３が配置されるようになっている。
【００２３】
図２は蛍光灯６の光を前面側に反射させるための反射板２１と、蛍光灯６の口金７の付近を暗くさせないための口金用反射板３１を上下にそれぞれ配設した場合のケース２側の斜視図を示している。ケース２の背面側に配設される四角板状の反射板２１は反射率の高いものを使用しており、また、図２〜図４に示すように反射板２１の両側は前面側に折曲されたサイド反射面２２としている。このサイド反射面２２は図４に示すように、ケース２の背面から所定の角度でもって傾斜しており、その先端側（端部側）は後述するパネル本体４１の背面に接触ないし近接している。
また、反射板２１の中央部分の両側には前面側に突出するように断面を略Ｖ字型に折曲形成されたセンター反射面２３が形成されている。この２つのセンター反射面２３と両側のサイド反射面２２との間に蛍光灯６がそれぞれ配置されるようになっている。
【００２４】
次に、可撓性を有する口金用反射板３１の構造について説明する。図５〜図７に示すように、前記反射板２１と同様に反射率の高い口金用反射板３１は、蛍光灯６の本数に応じて３つの細長状の挿通孔３２が穿孔されており、この挿通孔３２の一方の端部は蛍光灯６の表面の曲面に合わせて円弧状に形成されている。また、挿通孔３２の他方の端部は直線状に形成されている。
また、両挿通孔３２の間には反射板２１の山形のセンター反射面２３を逃がすための略Ｖ字型の切欠部３３が切り欠き形成されている。前記挿通孔３２の他方の端部側には四角形状の接着片３４が一体に形成されていて、この接着片３４の部分で図６（ｂ）に示すように折り畳み自在に折曲されている。この接着片３４は図５及び図７に示すように反射板２１の前面に接着され、この接着片３４を支点として口金用反射板３１が揺動自在となっている。
【００２５】
図２、図５及び図７は挿通孔３２を介して蛍光灯６を装着し、口金用反射板３１を配設した場合を示しており、口金用反射板３１をケース２のフランジ２ａ、２ｂの内側に倒して配置した場合、口金用反射板３１の切欠部３３が反射板２１のセンター反射面２３に形状が合った状態で位置している。
【００２６】
また、図２及び図６に示すように、口金用反射板３１の各挿通孔３２の左方には該口金用反射板３１より一体に延出された舌片状の部材を折曲して断面を略口字型とした補助反射部材３５を形成しており、この補助反射部材３５の内側の面を補助反射面３６としている。
そして、口金用反射板３１を撓ませて口金用反射板３１の端部をケース２の載置板１８の背面に位置させて該口金用反射板３１をケース２に対して位置決めすると、図２及び図７に示すように口金用反射板３１の補助反射部材３５が載置板１８の切欠部１９に位置することになる。なお、この時、図５に示すように、口金用反射板３１の補助反射部材３５は、ソケット１６の上方に位置している。
【００２７】
ここで、上記のようにして口金用反射板３１をケース２側に配設すると、図７に示すように、蛍光灯６の口金７とフィラメントの部分は口金用反射板３１にて覆設されることになり、口金７とフィラメントの部分以外の蛍光灯６が露出した状態となっている。
また、図７に示すように蛍光灯６の端部の方向の載置板１８の切欠部１９内に補助反射部材３５が位置しており、蛍光灯６の端部の位置と補助反射部材３５の位置とが対応している。
【００２８】
次に、ケース２の開口部１２の開口面に配設されるパネル本体４１について説明する。図８はパネル本体４１の斜視図を示し、図９はこのパネル本体４１の要部拡大断面図を示している。
このパネル本体４１は、前面側に配置されて乳白色で透光性のアクリル板４２と、このアクリル板４２の背面に積層され蛍光灯６からの光を乱反射させたり、透光させる透光性のポリエステルフィルム製の光拡散フィルム４３と、この光拡散フィルム４３の背面に積層されポリカーボネート製の透明なフィルムシート４４とから成っている。
【００２９】
ところで、蛍光灯６とパネル本体４１との間の間隙Ｌの寸法（図１７参照）が７〜８ｍｍ程度の場合、蛍光灯６を点灯させると、パネル本体４１を前面から見ると蛍光灯６の棒状の形状に輝度が非常に高くなり過ぎて、周囲に比べて明るくなり過ぎる。そのため、このままではパネル本体４１を均一に発光ないし発色させることが出来ない。また、蛍光灯６とパネル本体４１との間隙Ｌの寸法を大きく取ると、全体をほぼ均一に発光ないし発色させることができるものの、全体の輝度が暗くなる。輝度を上げようとすると、多くの蛍光灯６を必要とし、省エネルギーに反すると共に、重量も重くなってしまう。
【００３０】
そこで、蛍光灯６とパネル本体４１との隙間を狭くして、少数の蛍光灯６にて輝度を明るくさせると共に、蛍光灯６の口金７の付近を暗くさせることなく、パネル本体４１の全面にわたって輝度を均一にするようにしたのが、本発明の特徴である。
【００３１】
先ず、蛍光灯６に近接しているパネル本体４１の部分の輝度を落とす必要があり、また、蛍光灯６から左右方向や上下方向に離れていくほど暗くならないようにする必要がある。図１０は、パネル本体４１を構成している光拡散フィルム４３の模式図を示しており、円形の部分は蛍光灯６からの直接光や反射板２１、口金用反射板３１からの反射光を透光させる透光穴４６である。また、これらの無数の透光穴４６以外はアルミ蒸着による反射面４７である。
【００３２】
先ず、蛍光灯６の口金７よりガラス管側の上下にそれぞれ形成した透光穴４６ａ、４６ａ間をラインＬ１とし、このラインＬ１間に形成される透光穴４６の直径を最小としている。そして、このラインＬ１を中心として左右方向に蛍光灯６から離れるにしたがい透光穴４６の直径を漸進的に大きく形成している。また、透光穴４６は左右方向及び上下方向に所定のピッチ毎に穿孔されており、蛍光灯６から離れていくに従って透光穴４６の直径を漸進的に大きくしている。したがって、透光穴４６の直径が上記ピッチ間隔より小さい場合には正常な円形の透光穴４６が穿孔されて周囲のアルミ蒸着にて形成される反射面４７が大きい状態となっていて、蛍光灯６からの光の反射率を大きくして蛍光灯６付近での輝度を抑えて必要以上に明るくなり過ぎるのを防いでいる。
【００３３】
そして、蛍光灯６から左右方向に離れるにしたがい、輝度が低くなるので、これを防止すべく透光穴４６の直径を徐々に大きくして該透光穴４６から透光する光量を徐々に増加させるようにしている。透光穴４６の直径がピッチ間隔より大きくなると、透光穴４６の端部同士が重なって、所謂ダルマ形状となって隣接する透光穴４６同士が連通した状態となる（図１０の左右端の透光穴４６参照）。これにより、蛍光灯６の左右方向におけるパネル本体４１を見た場合の輝度を一定にし、パネル本体４１の左右方向の明るさを均一にしている。
【００３４】
なお、蛍光灯６に近接しているラインＬ１上の透光穴４６の直径を、例えば、０．６ｍｍとし、透光穴４６を穿孔するピッチの間隔は例えば、１ｍｍとし、左右端の直径の大きい透光穴４６の直径は、例えば１．４〜１．６ｍｍとしている。これらの数値は特に限定されるものではなく、任意に設定可能なものである。
【００３５】
ここで、透光穴４６を「穴」と表現しているが、実際には前後に貫通する穴ではなく、アルミ蒸着がされていない状態、つまり前後に貫通していない透明な部分を言い、蛍光灯６の直接光や反射光が透光するために「穴」という表現をしている。
【００３６】
次に、蛍光灯６の口金７の付近より上側及び下側に形成する透光穴４６について説明する。ここで、図１０に示すように、ラインＬ１上に形成している最小径の透光穴４６の上端位置と下端位置の透光穴４６を４６ａとし、上述したように、この上端の透光穴４６ａと下端の透光穴４６ａを結ぶラインＬ１上に形成されている透光穴４６が最小の径であり、左右方向には上述したように透光穴４６の直径を徐々に大きくしている。
そして、上端位置の透光穴４６ａより上側方向に、また下端位置の透光穴４６ａより下側方向にそれぞれいくにしたがい透光穴４６の直径を漸進的に大きく形成していき、最も上、または下に位置する太径の透光穴４６の大きさは左右に形成した透光穴４６の直径と同じとしている。ここで、透光穴４６ａの位置は、口金用反射板３１の接着片３４付近に対応している。
【００３７】
また、透光穴４６ａを含む左右方向の上下のラインＬ２上に位置する各透光穴４６から上側または下側に形成される透光穴４６の直径は上側の方向、下側の方向にいくにしたがいそれぞれ徐々に大きく形成されている。例えば、ラインＬ２上に位置する透光穴４６ａの直径より大きい透光穴４６ｂから上側（下部のラインＬ２では下側）上側にいくにしたがい透光穴４６の直径を徐々に大きくなるように形成している。
また、透光穴４６ｂの直径より大きい透光穴４６ｃから上側（下部のラインＬ２では下側）上側にいくにしたがい透光穴４６の直径を徐々に大きくなるように形成している。そして、周囲に形成される各透光穴４６の直径は同じとなるようにしている。つまり、蛍光灯６の口金７及びフィラメントの付近を含む部分から該蛍光灯６の軸方向と同方向へ外方に向かうに従って透光穴４６の直径を漸進的に大きく形成している
【００３８】
図１１は上記透光穴４６の直径を徐々に大きくしていった場合の説明図を示しており、蛍光灯６の口金７とフィラメント付近を除いた上下方向のラインＬ１上に形成されている透光穴４６が直径を最小としているラインである。透光穴４６の直径が小さいことは該透光穴４６の周囲の反射面４７の面積が大きいということになり、蛍光灯６からの直接光の多くを反射させることで、パネル本体４１を前面から見た場合には、蛍光灯６本来の輝度が低くなって見えることになる。
【００３９】
図１０及び図１１に示すように、ラインＬ１を中心にして左右方向にいくにしたがい、つまり蛍光灯６から離れていくにしたがい、透光穴４６の直径を矢印に示すように徐々に大きくしていっている。
また、ラインＬ２上に位置する各透光穴４６も矢印に示すように上方向、下方向にいくにしたがい透光穴４６の直径を徐々に大きくしている。また、光拡散フィルム４３のコーナー部分においても上下左右方向の外側にいくにしたがい透光穴４６の直径を漸進的に大きくしている。そして、図１０に示すように、周囲の透光穴４６の大きさが一番大きく、それぞれ同一の直径の透光穴４６となっている。
【００４０】
図１０及び図１１は、１本の蛍光灯６に対応した透光穴４６の列設状態を示しており、本実施形態では３本の蛍光灯６を並設しているので、図１０に示すような列設した多数の透光穴４６が３セット連続してパネル本体４１の光拡散フィルム４３に形成されている。
【００４１】
図１２は光拡散フィルム４３の透光穴４６と反射面４７とを模式的に表したものであり、各透光穴４６の大きさは同じとなっているが、透光穴４６の大きさと反射面４７の大きさを理解し易いように示したものである。図１２（ａ）が透光穴４６の直径が一番小さい場合を示し、黒くなっている部分が反射面４７である。蛍光灯６から離れるにしたがい、（ｂ）から（ｃ）に示すように透光穴４６の直径が大きくなり、その分反射面４７の面積が小さくなる。
図１２（ｃ）に示すように、透光穴４６のピッチ間隔より透光穴４６の直径が大きくなると、透光穴４６同士が重なり合うため、反射面４７は略菱形のようになって面積が小さくなり、蛍光灯６からの直接光や反射板２１、３１からの反射光を透光させる度合いが大きくなる。
【００４２】
なお、光拡散フィルム４３の面に予め透光穴４６に対応した無数の○印を印刷し、その後、アルミ蒸着を行なって光拡散フィルム４３の○印を印刷した以外の部分にアルミが蒸着される。その後に、エッチングを行なうことで、透明な透光透光穴４６が形成され、その他の部分はアルミ蒸着が残って反射面４７が形成される。つまり、アルミ蒸着が残っている部分を反射面４７としている。
【００４３】
ここで、図４及び図５に示すように、パネル本体４１が載置板１８の上に載置され、その前面に広告のデザインを施した広告用シート４が配置され、その広告用シート４の上に透明のアクリル板８が載置され、さらに額縁２６が閉じられることで、パネル本体４１、広告用シート４、アクリル板８がケース２側に位置決め固定されることになる。
【００４４】
なお、図４に示すように、額縁２６は蝶番からなるヒンジ部２７にて開閉自在となっており、ケース２側に設けられているマグネット２８にて金属製の額縁１０が吸着固定されるようになっている。また、額縁２６の上下の上板部２６ａ、下板部２６ｂの幅は、図５に示すように狭く形成している。例えば、広告用照明装置本体１の高さを約７６ｃｍとした場合、額縁２６の上下の上板部２６ａ及び下板部２６ｂの幅は約４ｃｍとしている。
すなわち、額縁２６の開口部２９の上下方向の寸法と蛍光灯６の口金７を含めた寸法とがほぼ同じとしている。
【００４５】
図１３は、ケース２側に額縁２６を介してパネル本体４１を配置した図を示し、また、図１４は蛍光灯６を点灯させた場合の光反射のイメージ図を示している。図１４に示すように、蛍光灯６からの光は、周囲に放射し、前面からの光はパネル本体４１を透光し、斜めに放射された光の一部はパネル本体４１の透光穴４６を介して透光すると共に、光の一部はパネル本体４１の光拡散フィルム４３のアルミ蒸着した反射面４７にて斜め後方に反射され、さらに反射板２１の背面やセンター反射面２３、サイド反射面２２にて反射されてパネル本体４１の透光穴４６を介して透光する。
【００４６】
ここで、蛍光灯６付近から放射された光は、パネル本体４１の光拡散フィルム４３の透光穴４６の直径が小さいため、該透光穴４６を介してパネル本体４１の前面へ放射される光量が少なく、輝度が抑えられている。一方、蛍光灯６より左右側では、反射板２１のサイド反射面２２がパネル本体４１の背面側に傾斜して近接していっていることと、光拡散フィルム４３の透光穴４６の直径が徐々に大きくなっていることとで、パネル本体４１の前面に放射される光量が大となっていき、反射板２１と光拡散フィルム４３の反射面４７との乱反射と相まって透光穴４６より前面へ放射され、蛍光灯６の付近の輝度とほぼ同じ輝度となっている。この光の反射作用による透光は各蛍光灯６において同じである。
【００４７】
また、蛍光灯６の口金７やフィラメントの付近においては、斜めに配置された口金用反射板３１の端部ほどパネル本体４１の端部（ケース２のフランジ２ａ、２ｂ側）に傾斜して近接していっていることと、蛍光灯６の口金７の方向にいくにしたがいパネル本体４１の光拡散フィルム４３の透光穴４６の直径を徐々に大きくしていっていることで、特に、図１０及び図１１に示すラインＬ２上に位置する各透光穴４６から上側、下側にいくにしたがい、透光穴４６の直径を漸進的に大きくしていることで、口金用反射板３１と光拡散フィルム４３の反射面４７による反射ないし乱反射にて、パネル本体４１の前面側に一層一定の光量が放射される。
これにより、蛍光灯６のガラス管部分と口金７付近に対応したパネル本体４１の部分における輝度をほぼ同じにすることができ、そのため、直管の蛍光灯６の口金７部分を含む大きさのパネル本体４１を用いた場合でも、パネル本体４１の全面にわたって均一に光を放射させることができ、口金７付近で輝度が暗くなるのを防止することができる。
【００４８】
このように、蛍光灯６の端部側に位置する最小径の透光穴４６ａを含む左右方向のラインＬ２上に位置する各透光穴４６から上側方向または下側方向にいくにしたがい透光穴４６の直径を漸進的に大きくしているので、蛍光灯６の口金７の付近から斜め上方、あるいは斜め下方におけるパネル本体４１の部分での透光穴４６からの光量を増加させることができて、パネル本体４１の輝度を一層均一にでき、パネル本体４１の全面にわたって明るさを均一にすることができる。
【００４９】
また、蛍光灯６の口金７付近を暗くさせることなく、パネル本体４１の全面にわたって均一に光を照明できるので、額縁２６の上下の上板部２６ａ及び下板部２６ｂの幅を狭くでき、広告用照明装置本体１の見映えを良くすると共に、意匠効果、広告効果を一層向上させることができる。
【００５０】
また、口金用反射板３１の補助反射部材３５の補助反射面３６が蛍光灯６からの直接光や、反射板２１、光拡散フィルム４３の反射面４７からの反射光によりパネル本体４１の前面への放射の補助作用が行なわれて、蛍光灯６の口金７付近の輝度を他の部分と一層均一にさせることができる。
【００５１】
なお、図１３において、口金用反射板３１の両側を三角形状に延出して反射板２１のサイド反射面２２の端部まで形成すると、パネル本体４１の四隅のコーナー部分Ｂで口金用反射板３１の両側の部分で蛍光灯６のフィラメント付近からの光が遮られて暗くなる。
そこで、口金用反射板３１の幅寸法を反射板２１の幅寸法とは同一にせずに、反射板２１の幅寸法より口金用反射板３１の幅寸法を短くして、図２及び図１３に示すように、該口金用反射板３１の両端の端縁３７と、反射板２１の面との間に開口部２４を形成し、この開口部２４から口金用反射板３１の背面側に位置する蛍光灯６の部分からの光を矢印に示すようにコーナー部分Ｂに透光させている。これにより、蛍光灯６からの直接光や反射板２１による反射光の光量をコーナー部分Ｂで増加させて、パネル本体４１の他の部分とほぼ同じ輝度を得るようにして、パネル本体４１の全面にわたって均一に発光ないし発色させることができる。
【００５２】
なお、上記の説明では、パネル本体４１を構成している光拡散フィルム４３に透光穴４６及び反射面４７を形成していたが、パネル本体４１を１枚のアクリル板４２で構成し、このアクリル板４２の背面に多数の透光穴４６と反射面４７を形成するようにしても良い。しかし、パネル本体４１を構成しているアクリル板４２の背面側に積層する光拡散フィルム４３に透光穴４６及び反射面４７を形成していることで、透光穴４６及び反射面４７の製造がし易くなる。
【図面の簡単な説明】
【００５３】
【図１】本発明の実施の形態における広告用照明装置本体のケース側の正面図である。
【図２】本発明の実施の形態における広告用照明装置本体のケース側の斜視図である。
【図３】（ａ）（ｂ）は本発明の実施の形態における反射板の正面図及び平面図である。
【図４】本発明の実施の形態における広告用照明装置本体の断面図である。
【図５】本発明の実施の形態における広告用照明装置本体の要部拡大断面図である。
【図６】（ａ）（ｂ）は本発明の実施の形態における口金用反射板の平面図及び側面図である。
【図７】本発明の実施の形態における広告用照明装置本体の要部斜視図である。
【図８】本発明の実施の形態におけるパネル本体の平面図である。
【図９】本発明の実施の形態におけるパネル本体の要部拡大断面図である。
【図１０】本発明の実施の形態における光拡散フィルムの透光穴の説明図である。
【図１１】本発明の実施の形態における光拡散フィルムの透光穴の説明図である。
【図１２】（ａ）〜（ｃ）は本発明の実施の形態における光拡散フィルムの透光穴の説明図である。
【図１３】本発明の実施の形態における広告用照明装置本体の正面図である。
【図１４】本発明の実施の形態における光反射のイメージ図である。
【図１５】従来例の広告用照明装置本体の分解斜視図である。
【図１６】蛍光灯の説明図である。
【図１７】従来例の説明図である。
【図１８】従来例の広告用照明装置本体の問題点を示す説明図である。
【図１９】従来例の広告用照明装置本体の正面図である。
【符号の説明】
【００５４】
１  広告用照明装置本体
２  ケース
６  蛍光灯
７  口金
１２  開口部
２１  反射板
２４  開口部
２６  額縁
３１  口金用反射板
３５  補助反射部材
３６  補助反射面
３７  端縁
４１  パネル本体
４６  透光穴
Ｌ２  ライン
【図１】
2007041422.tif 000003
【図２】
2007041422.tif 000004
【図３】
2007041422.tif 000005
【図４】
2007041422.tif 000006
【図５】
2007041422.tif 000007
【図６】
2007041422.tif 000008
【図７】
2007041422.tif 000009
【図８】
2007041422.tif 000010
【図９】
2007041422.tif 000011
【図１０】
2007041422.tif 000012
【図１１】
2007041422.tif 000013
【図１２】
2007041422.tif 000014
【図１３】
2007041422.tif 000015
【図１４】
2007041422.tif 000016
【図１５】
2007041422.tif 000017
【図１６】
2007041422.tif 000018
【図１７】
2007041422.tif 000019
【図１８】
2007041422.tif 000020
【図１９】
2007041422.tif 000021